(57)【要約】【課題】ネットワークを介して接続された複数の装置に記録された複数のコンテンツデータの中から１を選択した際に、当該データに関連するデータのダイジェスト情報を再生した後に連続して当該データを再生することの可能な、コンテンツ記録装置、コンテンツ再生装置、コンテンツ記録再生装置、及びコンテンツネットワークシステムを提供する。【解決手段】本発明に係るコンテンツ記録装置、コンテンツ再生装置、及びコンテンツ記録再生装置は、コンテンツデータの記録時又は再生時に当該コンテンツデータのダイジェスト情報を作成し、ネットワーク上のいずれかの装置に記録されたコンテンツデータを再生する際に、当該コンテンツデータに関連するデータのダイジェスト情報を併せて再生する。【選択図】図９
2007336086.tif 000002
【特許請求の範囲】
【請求項１】
コンテンツデータを記録する記録手段と、
前記記録手段が記録するコンテンツデータに係る１以上のシーンから構成されるダイジェスト情報を作成する制御手段と、
ネットワークを介して外部機器と通信し、前記外部機器からの指定条件に合致する１以上のコンテンツデータに係るダイジェスト情報を前記外部機器に送信する通信手段とを備えることを特徴とするコンテンツ記録装置。
【請求項２】
ネットワークを介して接続される１以上の外部機器に条件を指定したダイジェスト情報の送信要求を送信すると共に、これに対する応答であるダイジェスト情報を１以上受信する通信手段と、
前記通信手段で受信した１以上のダイジェスト情報を時系列順に並べ、当該ダイジェスト情報を再生する再生手段とを備えることを特徴とするコンテンツ再生装置。
【請求項３】
前記通信手段は、前記再生手段が再生するコンテンツデータに関係するダイジェスト情報を取得するための指定条件を１以上の前記外部機器に送信し、
前記再生手段は、前記通信手段で受信した１以上のダイジェスト情報を全て再生後に当該コンテンツデータを再生することを特徴とする請求項２記載のコンテンツ再生装置。
【請求項４】
前記再生手段は、再生するコンテンツデータよりも前の時刻に記録されたコンテンツデータに係るダイジェスト情報を再生することを特徴とする請求項３記載のコンテンツ再生装置。
【請求項５】
前記再生手段は、放送波を受信して得られるコンテンツデータを受信後リアルタイムで再生すると共に、当該コンテンツデータの再生開始前までに、前記通信手段で受信した１以上のダイジェスト情報を全て再生することを特徴とする請求項３記載のコンテンツ再生手段。
【請求項６】
コンテンツデータを記憶する１以上のコンテンツ記録装置と、
前記コンテンツ記録装置にネットワークを介して接続されるコンテンツ再生装置とを備えるネットワークシステムであって、
前記コンテンツ記録装置は、
コンテンツデータを記録する記録手段と、
前記記録手段が記録するコンテンツデータに係る１以上のシーンから構成されるダイジェスト情報を作成する制御手段と、
前記コンテンツ再生装置とネットワークを介して通信し、条件が指定されたダイジェスト情報の送信要求を受信すると、指定条件に合致する１以上のコンテンツデータに係るダイジェスト情報を前記コンテンツ再生装置に送信する通信手段とを備え、
前記コンテンツ再生装置は、
１以上の前記コンテンツ記録装置に条件を指定したダイジェスト情報の送信要求を送信すると共に、これに対する応答であるダイジェスト情報を１以上受信する通信手段と、
前記通信手段で受信した１以上のダイジェスト情報を時系列順に並べ、当該ダイジェスト情報を再生する再生手段とを備えることを特徴とするネットワークシステム。
【発明の詳細な説明】
【技術分野】
【０００１】
本発明はコンテンツ記録装置、コンテンツ再生装置、コンテンツ記録再生装置、及びコンテンツネットワークシステムに関し、特に関連番組のダイジェストの視聴が容易なコンテンツ記録装置、コンテンツ再生装置、コンテンツ記録再生装置、及びコンテンツネットワークシステムに関する。
【背景技術】
【０００２】
家庭用コンピュータ等のネットワーク化、ビデオ等のデジタル化が進み、ネットワークを介したコンテンツデータの送受信が容易となり、コンテンツデータの共有化が可能となっている。これにより、実際に操作する装置に記録されていないコンテンツデータであっても、ネットワーク上のいずれかの装置に記録されているデータであれば、いつでも視聴できるようになりつつある。
【０００３】
このように、視聴可能なコンテンツデータの量が増加すると、それぞれのコンテンツデータの内容をユーザが把握しきれなくなるため、それらの管理方法についても工夫が要求されることになる。
【０００４】
そのような管理方法のひとつとして、コンテンツデータの一部を抜粋して、当該データの要約となるダイジェスト情報を作成する映像記録方法が考えられている（例えば、特許文献１参照）。
【０００５】
このような映像記録方法によってダイジェスト情報を作成することにより、実際のコンテンツデータの記録時間よりもはるかに短い時間で当該ダイジェスト情報を再生することができる。このダイジェスト情報は、従来の早送り再生等と異なり、音声を伴うことができ、且つ、再生される部分については等倍速での再生となるため、ユーザが内容を把握しやすいという利点がある。
【０００６】
ダイジェスト情報の利用例として、ユーザが連続ドラマの途中の回の再生を望んだ際に、その前回までのストーリーの確認を行いたいと思った場合に、各回のダイジェスト情報を再生することで、視聴する回のドラマをより楽しむことが可能となる。
【特許文献１】特開２００３−２８３９６７号公報
【発明の開示】
【発明が解決しようとする課題】
【０００７】
しかし、従来の映像記録方法によると、このような利用をするためには、前回までの各回のダイジェスト情報を個別に呼び出し、再生する必要があるので、ドラマの放送回数が進むにつれ、その作業はかなりの手間を要することとなり、不都合なものとなる。
【０００８】
従って本発明は、ネットワーク上の機器が記憶する１以上のコンテンツデータに係る内容をユーザが容易に把握することのできるコンテンツ記録装置、コンテンツ再生装置、コンテンツ記録再生装置、及びコンテンツネットワークシステムを提供することを目的とする。
【課題を解決するための手段】
【０００９】
本発明は、上記目的を達成するため、コンテンツデータを記録する記録手段と、前記記録手段が記録するコンテンツデータに係る１以上のシーンから構成されるダイジェスト情報を作成する制御手段と、ネットワークを介して外部機器と通信し、前記外部機器からの指定条件に合致する１以上のコンテンツデータに係るダイジェスト情報を前記外部機器に送信する通信手段とを備えることを特徴とするコンテンツ記録装置を提供する。
【００１０】
また、本発明は、ネットワークを介して接続される１以上の外部機器に条件を指定したダイジェスト情報の送信要求を送信すると共に、これに対する応答であるダイジェスト情報を１以上受信する通信手段と、前記通信手段で受信した１以上のダイジェスト情報を時系列順に並べ、当該ダイジェスト情報を再生する再生手段とを備えることを特徴とするコンテンツ再生装置を提供するものでもある。
【００１１】
また、本発明は、コンテンツデータを記憶する１以上のコンテンツ記録装置と、前記コンテンツ記録装置にネットワークを介して接続されるコンテンツ再生装置とを備えるネットワークシステムであって、前記コンテンツ記録装置は、コンテンツデータを記録する記録手段と、前記記録手段が記録するコンテンツデータに係る１以上のシーンから構成されるダイジェスト情報を作成する制御手段と、前記コンテンツ再生装置とネットワークを介して通信し、条件が指定されたダイジェスト情報の送信要求を受信すると、指定条件に合致する１以上のコンテンツデータに係るダイジェスト情報を前記コンテンツ再生装置に送信する通信手段とを備え、前記コンテンツ再生装置は、１以上の前記コンテンツ記録装置に条件を指定したダイジェスト情報の送信要求を送信すると共に、これに対する応答であるダイジェスト情報を１以上受信する通信手段と、前記通信手段で受信した１以上のダイジェスト情報を時系列順に並べ、当該ダイジェスト情報を再生する再生手段とを備えることを特徴とするネットワークシステムを提供するものでもある。
【発明の効果】
【００１２】
本発明によれば、ネットワーク上の機器が記憶する１以上のコンテンツデータに係る内容をユーザが容易に把握することができる。
【発明を実施するための最良の形態】
【００１３】
以下、図面を参照しながら本発明の実施の形態について説明する。
【００１４】
（システムの構成）
図１は、本実施形態に係る映像記録装置、映像再生装置及び映像記録再生装置を含むネットワークシステムの構成を示す図である。
【００１５】
図１に示すネットワークシステム１００は、映像記録装置１と、映像再生装置２と、映像記録再生装置３と、これらを接続するネットワーク４より構成されている。なお、図１に示すネットワーク１００は、本発明に係るネットワークシステムの一例に過ぎず、本発明は図１に示す構成例に限定されるものではない。
【００１６】
本発明においては、映像記録装置と映像記録再生装置のうちの少なくとも１つと、映像再生装置と映像記録再生装置のうちの少なくとも１つとを備えていればよく、且つ、ネットワークを介して接続された装置が２以上あればよい。
【００１７】
映像記録装置１は、映像コンテンツデータを録画等により記録する機能を備えた装置であり、記録された映像コンテンツデータをネットワーク４を介して映像再生装置２又は映像記録再生装置３へ送信する。具体的には、図１に示すようなパーソナルコンピュータ（ＰＣ）やネットワークサーバ等のデータ格納部を備えた装置が該当する。
【００１８】
映像再生装置２は、映像コンテンツデータを再生する機能を備えた装置であり、ネットワーク４又は外部端末を介して受信した映像コンテンツデータを再生する。具体的には、図１に示すようなＤＶＤプレーヤ（録画機能を有さないもの）や、ネットワーク対応型ＴＶなどが該当する。なお、ＤＶＤプレーヤ等の画像表示部を備えないものについては、別途モニタ等を接続する必要がある。
【００１９】
映像記録再生装置３は、映像コンテンツデータを録画等により記録する機能と、映像コンテンツデータを再生する機能を備えた装置であり、記録された映像コンテンツデータを、ネットワーク４を介して映像再生装置２へ送信することが可能であると共に、ネットワーク４又は外部端末を介して受信した映像コンテンツデータを再生することも可能である。具体的には、図１に示すようなＨＤＤ内蔵型ＤＶＤレコーダや、ＨＤＤレコーダ、ＰＣ等が該当する。なお、映像再生については、ＤＶＤレコーダ等の画像表示部を備えないものについては、別途モニタ等を接続する必要がある。
【００２０】
ネットワーク４は、接続された装置間におけるデータの送受信を行うものであり、例えば、インターネットやＬＡＮなどが該当する。なお、図１の例では有線接続がなされているが、無線により接続されていても良い。
【００２１】
（映像記録装置の基本内部構成）
図２は、本実施形態に係る映像記録装置１の基本構成を示すブロック図である。
【００２２】
図２において、映像記録装置１は、チューナ部１１と、エンコード部１２と、記録部１３と、制御・演算部１４と、ネットワーク部１５とを有し、更にネットワーク４と、アンテナ５と、外部装置６とが接続されている。
【００２３】
チューナ部１１は、映像記録装置１の外部に構成されたアンテナ５を介して映像コンテンツデータが伝送されるテレビ放送電波を、映像記録装置１の外部に構成されたアンテナ５を介して受信し、特定のチャネルに係る信号を出力する。
【００２４】
エンコード部１２は、チューナ部１１によって受信されたテレビ放送電波のデータ信号を、後述する記録部１３において記録可能な形式の信号への変換を行うものである。信号の変換のなされた映像コンテンツデータは、一旦記録部１３へ格納されるか、或いは直接ネットワーク４を介して他の装置へ送信するために演算部１４へ送られる。
【００２５】
記録部１３は、エンコード部１２において信号の変換のなされた映像コンテンツデータを格納するものである。具体的には、ハードディスクドライブ（ＨＤＤ）等が該当するが、その他半導体メモリや、ＤＶＤ−Ｒ等のメディアなどであってもよい。
【００２６】
制御・演算部１４は、記録部１３に記録された映像からダイジェスト情報を作成するための制御や、エンコード部１２において信号の変換のされたデータ又は記録部１３に記録されたデータをネットワーク４を介して他の装置へ送信する際に、必要な演算処理を行うためのものである。
【００２７】
ネットワーク部１５は、映像記録装置１とネットワーク４とを接続するインターフェイスであり、ネットワーク４を介して他の装置への映像コンテンツデータの送信を行う。
【００２８】
（映像再生装置の基本内部構成）
図３は、本実施形態に係る映像再生装置２の基本構成を示すブロック図である。
【００２９】
図３において、映像再生装置２は、記録部２３と、制御・演算部２４と、ネットワーク部２５と、デコード部２６と、映像出力部２７とを有し、更にネットワーク４と、外部装置６とが接続されている。
【００３０】
記録部２３は、ネットワーク４より受信した映像コンテンツデータを一時的に格納するものである。具体的には、上述した記録部１３同様に、ハードディスクドライブ（ＨＤＤ）等が該当するが、その他半導体メモリや、ＤＶＤ−Ｒ等のメディアなどであってもよい。
【００３１】
制御・演算部２４は、後述するネットワーク部２５の受信した映像コンテンツデータからダイジェスト情報を作成するための制御や、当該コンテンツデータを記録部２３又はデコード部２６へ送信する際に、必要な演算処理を行うためのものである。
【００３２】
ネットワーク部２５は、映像再生装置２とネットワーク４とを接続するインターフェイスであり、ネットワーク４を介して他の装置からの映像コンテンツデータの受信を行う。
【００３３】
デコード部２６は、記録部２３又は制御・演算部２４から送信された映像コンテンツデータの信号を、映像出力部２７を介して出力可能な形式の信号への変換を行うものである。
【００３４】
映像出力部２７は、映像コンテンツデータに基づいた映像出力を行うものである。映像再生装置２に内蔵された、或いは外部装置６として接続されたモニタに対して、映像は出力される。
【００３５】
（映像記録再生装置の基本内部構成）
図４は、本実施形態に係る映像記録再生装置３の基本構成を示すブロック図である。
【００３６】
図４において、映像記録再生装置３は、チューナ部３１と、エンコード部３２と、記録部３３と、制御・演算部３４と、ネットワーク部３５と、デコード部３６と、映像出力部３７とを有し、更にネットワーク４と、アンテナ５と、２つの外部装置６ａ及び６ｂとが接続されている。
【００３７】
チューナ部３１、エンコード部３２、記録部３３、制御・演算部３４及びネットワーク部３５は、上述した映像記録装置１におけるチューナ部１１、エンコード部１２、記録部１３、制御・演算部１４及びネットワーク部１５と同様の機能を有するものである。また、記録部３３、制御・演算部３４、ネットワーク部３５、デコード部３６及び映像出力部３７は、上述した映像再生装置２における記録部２３、制御・演算部２４、ネットワーク部２５、デコード部２６及び映像出力部２７と同様の機能を有するものである。即ち、映像記録再生装置３は、映像記録装置１と、映像再生装置２との双方の機能を併せ持つ装置である。
【００３８】
（ダイジェスト情報の作成）
次に、映像記録装置１又は映像記録再生装置３におけるダイジェスト情報の作成方法について説明する。ダイジェスト情報とは、１の映像コンテンツデータの中から一部のシーンの映像を１以上抽出したものであり、当該映像コンテンツデータの全部を視聴せずとも、ダイジェスト情報を視聴することにより、当該映像コンテンツデータの内容の概要を理解することを可能とするものである。
【００３９】
したがって、ダイジェスト情報の作成とは、対象となる映像コンテンツデータの中から一部のシーンを抽出する作業を示すことになる。
【００４０】
図５は、１の映像コンテンツデータから、一部のシーンが抽出され、ダイジェスト情報が作成される様子を示す図である。
【００４１】
最初に、図５（ａ）に示すように、映像コンテンツデータの特徴となる箇所を複数選択し、そこに目印（例えば、フラグ等）を付加する。
【００４２】
そして、図５（ｂ）に示すように、付加されたフラグの位置に対して、一定の基準を充たす部分をダイジェスト情報のための映像として抽出する。一定の基準とは、例えば、フラグ位置を始点に３０秒間、フラグ位置の前後１０秒間ずつの計２０秒間等である。
【００４３】
そして、図５（ｃ）に示すように、抽出された各映像をまとめ、連続して再生することにより、１つのダイジェスト情報となる。
【００４４】
なお、ダイジェスト情報は、上記方法により抽出された映像を、基となる映像コンテンツデータとは別個に、実データである映像データとして保存したものであってもよいし、或いは、ＤＶＤ等で利用されているＩＦＯファイルのように、実データを伴わず、再生位置を示す情報から構成されるものであっても良い。後者の場合、ダイジェスト情報を再生する場合には当該再生位置を参照しながら、元となる映像コンテンツデータを再生することになる。
【００４５】
ダイジェスト情報は、対象となる映像コンテンツデータの記録時間に比べて、十分に短い時間からなる映像であれば、いかなる基準で一部の映像が抽出されていても構わない。しかし、抽出する箇所をどこにするかについての基準の例を図６を参照しつつ以下に示す。
【００４６】
図６は、ダイジェスト情報に用いる映像の抽出箇所を決定する方法の例を示す図である。図６においては、３つの方法を例として挙げているが、ここに挙げた方法には限られない。
【００４７】
図６（ａ）の方法は、映像コンテンツの内容とは無関係に、一定時間毎に区切った箇所を抽出するものである。例えば、映像コンテンツデータを映像の開始から１０分ごとに区切り、それぞれの部分の冒頭１分を抽出してまとめ、１つのデータとする方法である。
【００４８】
図６（ｂ）の方法は、映像コンテンツデータに含まれるＣＭ部分を検出し、その部分の直前或いは直後の一定時間のみを抽出してまとめ、１つのデータとする方法である。特にバラエティ番組やドラマ等では、ＣＭの前後に重要なシーンが含まれていることが多く、そのような場合に有効な方法である。
【００４９】
図６（Ｃ）の方法は、ＢＧＭや歓声の音量が、その前後と比べて増大した部分のみを抽出してまとめ、１つのデータとする方法である。ドラマや映画の場合、重要なシーンにおいてＢＧＭの音量が増大することが多く、スポーツ番組の場合、重要なシーン程歓声が大きくなるからであり、このような場合に有効な方法である。
【００５０】
ダイジェスト情報の作成は、映像コンテンツデータの記録時に同時に行うことも可能であり、また、映像コンテンツデータの記録時には行わず、後日、深夜などの映像記録装置１又は映像記録再生装置３が稼動していない時間を利用して行うことも可能である。なお、ユーザの要求や、ダイジェスト情報の再生指示に応じて、その都度ダイジェスト情報を作成することもできる。予め作成していく方法であれば、ユーザへの応答性に優れるし、ユーザの要求に応じて作成する場合には、ユーザからの指示に応じて、例えばダイジェスト情報の全体の再生時間や抽出するポイント等を変えることができるようになる。
【００５１】
（ダイジェスト情報の作成動作）
次に、ダイジェスト情報の作成時の動作について説明する。ここでは、映像コンテンツデータの記録時において、ダイジェスト情報を併せて作成する場合の動作を例にとって説明する。なお、以下の説明においては映像記録装置１における動作として説明するが、映像記録再生装置３においても同様の動作によりダイジェスト情報の作成は可能である。
【００５２】
図７は、映像記録装置１において映像コンテンツデータを記録する際に、併せてダイジェスト情報を作成する際の動作を示すフローチャートである。なお、映像記録装置１における判断は映像記録装置１に備えられた図示しないＣＰＵによりなされ、動作はＣＰＵの指示により各構成部が行うものとする。
【００５３】
最初に、映像記録装置１を操作するユーザによりなされた、映像コンテンツデータの録画指示を受信する（ステップＳ１０１）。録画指示の内容は、現時点で放送中の番組であってもよく、或いは録画予約によるものであってもよい。また、放送される番組でなく、外部装置６より入力される映像であってもよい。
【００５４】
受信した当該指示に従って、映像記録装置１は、該当する映像コンテンツデータの記録を開始する（ステップＳ１０２）。受信したデータは、ＨＤＤやＤＶＤ−Ｒ等の予め定められた記録部１３へと格納されることになる。
【００５５】
次に、代表となるシーンが検出されたか否かの判断がなされる（ステップＳ１０３）。この処理では、記録のために受信中の映像コンテンツデータ中にダイジェスト情報に含まれるべきシーンが包含されるか否かの判断がなされる。例えば、一定時間毎のシーンを抽出する場合には、当該一定時間が経過したか否かを判断する。また、ＣＭ明けの一定時間を抽出する場合には、ＣＭが終了して番組が再開したか否かを判断する。
【００５６】
代表となるシーンが検出されたと判断した場合には（Ｓ１０３：Ｙｅｓ）、当該シーンの冒頭部に目印となる信号を付与し（ステップＳ１０４）、代表となるシーンが検出されなかったと判断した場合には（Ｓ１０３：Ｎｏ）、この処理は行わない。そして、受信した映像の記録を行う（ステップＳ１０５）。
【００５７】
次いで、記録する映像が終了したか否かの判断を行う（ステップＳ１０６）。受信中の映像がまだ途中であると判断した場合には（Ｓ１０６：Ｎｏ）、上述のステップＳ１０３に処理を戻して映像の記録を継続し、記録すべき映像が終了したと判断した場合には（Ｓ１０６）、録画を終了する（ステップＳ１０７）。
【００５８】
続いて、代表シーンの選定を行う（ステップＳ１０８）。上述したステップＳ１０４において付与した信号に基づき、代表シーンとなるべきシーンを抽出する。そして、抽出された各代表シーンを合成して、１のダイジェスト情報を作成する（ステップＳ１０９）。そして、再生リストに記録する（ステップＳ１１０）。
【００５９】
以上のような処理を行うことにより、映像コンテンツデータの記録時において、同時にダイジェスト情報を作成することができる。
【００６０】
（映像コンテンツデータの検索）
次に、映像記録装置１又は映像記録再生装置３において、ネットワーク上の他の機器から、１の映像コンテンツデータの呼出指示があった際に、当該映像コンテンツデータに関連するデータのダイジェスト情報を検索し、再生リストを送信する際の動作について説明する。なお、以下の説明においては映像記録装置１における動作として説明する。
【００６１】
図８は、映像記録装置１において、映像再生装置２又は映像記録再生装置３から、１の映像コンテンツデータに関連するデータのダイジェスト情報映像の呼出指示があった際の動作を示すフローチャートである。なお、映像記録装置１における判断は映像記録装置１に備えられた図示しないＣＰＵによりなされ、動作はＣＰＵの指示により各構成部が行うものとする。
【００６２】
まず、映像再生装置２又は映像記録再生装置３においてユーザが１の映像コンテンツデータの呼び出しを行った際に、当該映像コンテンツデータに類似するデータを抽出する指示を受ける（ステップＳ１１１）。
【００６３】
当該指示を受けた映像記録装置１は、記録されたデータの中から該当するデータを抽出するための検索を行うため、まず１番目の映像コンテンツデータを選択する（ステップＳ１１２）。そして選択したデータと呼び出されたデータとの間の、タイトルの類似度を算出する（ステップＳ１１３）。関連する映像コンテンツデータほどタイトルは類似しているからである。タイトルの類似度は、例えば最初の何文字が一致しているかや、連続する何文字の同じ文字列が含まれて意いるか否か等で判断することができる。
【００６４】
続いて、選択したデータと呼び出されたデータとの間の、記録した曜日の類似度を算出する（ステップＳ１１４）。これは、例えば連続ドラマ等の場合、毎週同じ曜日に放送されているので、記録した曜日が同一となるからである。更に、選択したデータと呼び出されたデータとの間の、記録した時刻の類似度を算出する（ステップＳ１１５）。連続ドラマ等の場合、毎週同じ曜日に放送されているばかりでなく、放送時刻も同一となるからである。
【００６５】
そして、上述したステップにおいて算出された類似度を総合的に加味して、最終的な類似度を算出する（ステップＳ１１６）。その上で、当該選択した映像コンテンツデータが、呼び出された映像コンテンツデータと同一カテゴリのコンテンツであるか否かを判断する（ステップＳ１１７）。
【００６６】
選択した映像コンテンツデータが、呼び出された映像コンテンツデータと同一カテゴリであると判断された場合には（Ｓ１１７：Ｙｅｓ）、当該選択した映像コンテンツデータを同一カテゴリのコンテンツとして選出するが（ステップＳ１１８）、選択した映像コンテンツデータが、呼び出された映像コンテンツデータと異なるカテゴリであると判断された場合には（Ｓ１１７：Ｎｏ）、当該処理は行わない。
【００６７】
そして、記録された全ての映像コンテンツデータについて検索を行ったか否かの判断を行う（ステップＳ１１９）。まだ未検索のコンテンツが残っていると判断した場合には（Ｓ１１９：Ｎｏ）、ステップＳ１１２へ処理を戻し、次のコンテンツを選択して新たに検索を行う。一方、全ての映像コンテンツデータについて検索が終了したと判断した場合には（Ｓ１１９：Ｙｅｓ）、映像再生装置２に対して、検索結果を通知し、併せて検索された映像コンテンツデータに係るダイジェスト情報のリストを送信する（ステップＳ１２０）。
【００６８】
以上のような処理を行うことにより、ユーザがネットワーク上の１の機器において、ある映像コンテンツデータの再生を望んだ際には、ネットワーク上に記録された関連する他のコンテンツの存在を、ユーザに対して自動的に通知することができる。
【００６９】
尚、上記の説明ではタイトルの類似度と記録日時によって同一カテゴリか否かを判断したが、これに限られるものではない。例えば、チャネルやジャンル、出演者等の情報を加味して類似度を算出しても良い。
【００７０】
（ネットワークにおけるダイジェスト情報の送受信）
次に、ネットワーク上の各装置間におけるダイジェスト情報の送受信の動作について説明する。
【００７１】
図９は、映像再生装置２を操作するユーザが、ネットワーク４上の映像記録装置１及び映像記録再生装置３に記録された映像コンテンツデータの中から、「タイトルＡ  第５回」を選択した際に、当該データに併せて、「タイトルＡ」の第１回から第４回までのダイジェスト情報も取得し、映像再生装置２において、先ず各ダイジェスト情報を再生し、その後に第５回の映像コンテンツデータを再生する場合の各装置の動作の流れを示す図である。
【００７２】
最初に、映像再生装置２において、タイトルの取得指示のユーザ操作がなされると、ネットワーク４上の映像記録装置１及び映像記録再生装置３に対して、タイトルの取得指示がなされる（ステップＳ１３１）。
【００７３】
映像記録装置１及び映像記録再生装置３には、それぞれ図９に示した映像コンテンツデータ及び欠くダイジェスト情報が格納されており、映像再生装置２からのタイトル取得指示に応じて、映像記録装置１は自己の記録する映像コンテンツデータのタイトル情報を映像再生装置２に対して送信し（ステップＳ１３２）、映像記録再生装置３も同様にタイトル情報を送信する（ステップＳ１３３）。
【００７４】
各タイトル情報を受信した映像再生装置２は、取得したタイトル情報をモニタ上に表示し（ステップＳ１３４）、ユーザに対して選択を行わせる。ユーザが表示されたタイトルの中から「タイトルＡ  第５回」を選択したとすると（ステップＳ１３５）、映像再生装置２は、各装置に対して「タイトルＡ  第５回」の送信要求を行う（ステップＳ１３６）。
【００７５】
当該送信要求を受信した映像記録装置１においては、「タイトルＡ  第５回」は記録されていないが、これに関連するタイトルを上述の図８における動作により選出し（ステップＳ１３７）、それらの各ダイジェスト情報を取得し、映像再生装置２に対して送信する（ステップＳ１３８）。
【００７６】
一方、当該送信要求を受信した映像記録再生装置２においては、「タイトルＡ  第５回」及びこれに関連するタイトルを同じく選出し（ステップＳ１３９）、「タイトルＡ  第５回」のデータ及びそれ以外のデータの各ダイジェスト情報を取得し、映像再生装置２に対して送信する（ステップＳ１４０）。
【００７７】
各データを受信した映像再生装置２においては、先に「タイトルＡ  第５回」以前の回の各ダイジェスト情報を時系列順に再生し（ステップＳ１４１）、その後、「タイトルＡ  第５回」を再生する（ステップＳ１４２）。
【００７８】
このような処理を行うことにより、ユーザがネットワーク上の他機器に記録された１の映像コンテンツデータの再生を希望すると、当該データの再生に先立って当該データの前の回の映像コンテンツデータのダイジェスト情報を再生することができるので、例えば連続ドラマの再生を行う際に、前回までのストーリーの確認が可能となる。
【００７９】
また、上記動作例は予め録画された「タイトルＡ  第５回」を再生する際の動作例であるが、「タイトルＡ  第５回」録画されていない状態で、番組放送時にユーザがリアルタイム視聴の予約をした際においても、同様の動作を行うことができる。この場合には、当該予約状況に応じて、「タイトルＡ  第５回」の放送に合わせ、「第１回」から「第４回」のダイジェスト情報を、「第５回」の放送開始時間から全ダイジェスト情報の再生時間分だけ溯った時間から、再生を開始することで、ダイジェスト放送の再生と、リアルタイムの視聴とを連続して行うことができる。
【００８０】
また、リアルタイム視聴予約の場合において、ダイジェスト放送の再生開始から、予約した番組の放送開始までの時間を計算し、その時間に合うようにダイジェスト情報のサイズを調整して、ダイジェスト情報を再生するものであってもよい。
【図面の簡単な説明】
【００８１】
【図１】本発明の実施の形態に係る映像記録装置、映像再生装置、及び映像記録再生装置を含むネットワークシステムの構成を示す図である。
【図２】本発明の実施の形態に係る映像記録装置１の基本構成を示すブロック図である。
【図３】本発明の実施の形態に係る映像再生装置２の基本構成を示すブロック図である。
【図４】本発明の実施の形態に係る映像記録再生装置３の基本構成を示すブロック図である。
【図５】（ａ）〜（ｃ）は、１の映像コンテンツデータから、一部の映像が抽出され、ダイジェスト情報が作成される様子を示す図である。
【図６】（ａ）〜（ｃ）は、ダイジェスト情報に用いる映像の抽出箇所を決定する方法の例を示す図である。
【図７】映像記録装置１において映像コンテンツデータを記録する際に、併せてダイジェスト情報を作成する際の動作を示すフローチャートである。
【図８】映像記録装置１に対して、１の映像コンテンツデータに関連するデータのダイジェスト情報映像の呼出指示があった際の動作を示すフローチャートである。
【図９】映像再生装置２を操作するユーザが「タイトルＡ  第５回」を選択した際に、当該データに併せて、「タイトルＡ」の第１回から第４回までのダイジェスト情報も取得し、映像再生装置２において、先ず各ダイジェスト情報を再生し、その後に第５回の映像コンテンツデータを再生する場合の各装置の動作の流れを示す図である。
【符号の説明】
【００８２】
１、映像記録装置  ２、映像再生装置  ３、映像記録再生装置  ４、ネットワーク
５、アンテナ  ６、外部装置  １１、３１、チューナ部  １２、３２、エンコード部
１３、２３、３３、記録部  １４、２４、３４、制御・演算部
１５、２５、３５、ネットワーク部  ２６、３６、デコード部  ２７、３７、映像出力部
１００、ネットワークシステム
【図１】
2007336086.tif 000003
【図２】
2007336086.tif 000004
【図３】
2007336086.tif 000005
【図４】
2007336086.tif 000006
【図５】
2007336086.tif 000007
【図６】
2007336086.tif 000008
【図７】
2007336086.tif 000009
【図８】
2007336086.tif 000010
【図９】
2007336086.tif 000011